(57)【要約】      （修正有）【課題】データインターフェースを有するキーボードを提供する。【解決手段】キーボード２０は、キーボード本体２１と、コンピューター本体に接続される第一接続端２３１及びキーボード本体に接続される第二接続端２３２を有する接続線２３と、キーボード本体内に動作可能に収容されて、キーボード本体から引き出すことができるシールドケース２２と、を備える。接続線は、キーボードの操作指令を伝送するキーボードデータ線２５及びデータ信号を伝送するインターフェースデータ線２６を備え、キーボードデータ線の第一接続端にはキーボードコネクター２５１が設置されるとともに第二接続端はキーボード本体のキーボード回路基板に接続され、インターフェースデータ線の第一接続端にはデータコネクター２６１が設置されるとともに第二接続端はシールドケース内に設置された複数のデータインターフェース２４１に接続される。【選択図】図１
2014093082.tif 000002
【特許請求の範囲】
【請求項１】
キーボード本体と、コンピューター本体に接続される第一接続端及び前記キーボード本体に接続される第二接続端を有する接続線と、を備えるキーボードであって、
前記キーボード本体内に動作可能に収容されて、前記キーボード本体の片側から引き出すことができるシールドケースをさらに備え、
前記接続線は、キーボードの操作指令を伝送するキーボードデータ線及びデータ信号を伝送するインターフェースデータ線を備え、前記キーボードデータ線の前記第一接続端に近い一端にはキーボードコネクターが設置され、前記キーボードデータ線の前記第二接続端に近い他端はキーボード本体のキーボード回路基板に接続され、前記インターフェースデータ線の前記第一接続端に近い一端にはデータコネクターが設置され、前記インターフェースデータ線の前記第二接続端に近い他端は、前記シールドケース内に設置された複数のデータインターフェースに接続されることを特徴とするキーボード。
【請求項２】
前記コンピューター本体にはキーボード接続ポート及び少なくとも１つのデータ接続ポートが設置され、前記キーボードデータ線のキーボードコネクターは、前記コンピューター本体のキーボード接続ポートに接続され、前記インターフェースデータ線のデータコネクターは、前記コンピューター本体のデータ接続ポートに接続されることを特徴とする請求項１に記載のキーボード。
【請求項３】
前記シールドケースはカバー及び収納部を備え、前記カバーは前記キーボード本体に形成された収容部の内壁に設置され、前記収納部が前記収容部に引き込まれて収容されると、前記カバーは前記収納部の上方開口を覆ってシールド空間を形成することを特徴とする請求項１または２に記載のキーボード。
【請求項４】
前記シールドケース内に設置された複数のデータインターフェースは、ＵＳＢインターフェース又はＳＤカードインターフェースであることを特徴とする請求項１から３のいずれか一項に記載のキーボード。
【請求項５】
前記シールドケース内に設置された複数のデータインターフェースは、ハブを採用して前記インターフェースデータ線によってデータを伝送することを特徴とする請求項１から４のいずれか一項に記載のキーボード。
【発明の詳細な説明】
【技術分野】
【０００１】
本発明は、入力装置に関するものであり、特にキーボードに関するものである。
【背景技術】
【０００２】
現在、ＵＳＢインターフェースはコンピューターのコンピューター本体に設置される。デスクトップ型コンピューターにおいて、コンピューター本体と表示装置とは分離し、コンピューター本体は一般的にデスクの下方に設置されているので、ＵＳＢインターフェースによってデータを伝送しようとする際、ユーザーは腰を曲げることを必要として、使用に不便である。
【発明の概要】
【発明が解決しようとする課題】
【０００３】
本発明の目的は、データインターフェースを有する使用に便利であるキーボードを提供することである。
【課題を解決するための手段】
【０００４】
前記目的を達成するため、本発明に係るキーボードは、キーボード本体と、コンピューター本体に接続される第一接続端及びキーボード本体に接続される第二接続端を有する接続線と、キーボード本体内に動作可能に収容されて、キーボード本体の片側から引き出すことができるシールドケースと、備え、接続線は、キーボードの操作指令を伝送するキーボードデータ線及びデータ信号を伝送するインターフェースデータ線を備え、キーボードデータ線の第一接続端に近い一端にはキーボードコネクターが設置され、キーボードデータ線の第二接続端に近い他端はキーボード本体のキーボード回路基板に接続され、インターフェースデータ線の第一接続端に近い一端にはデータコネクターが設置され、インターフェースデータ線の第二接続端に近い他端は、シールドケース内に設置された複数のデータインターフェースに接続される。
【発明の効果】
【０００５】
本発明に係るキーボードには複数のデータインターフェースが設置されているので、ＵＳＢメモリのような外部記憶装置を使用してデータを伝送しようとする際、ＵＳＢメモリをキーボードのデータインターフェースに差し込むことができ、ユーザーが腰を曲げることを必要とせず使用に便利である。又、データインターフェースはキーボードのシールドケースの内部に設置されて、データインターフェースが作動する時に生じる電磁波が外界に対して及ぼす影響を減少することができる。又、本発明のキーボードを採用する場合、コンピューター本体のインターフェースの数量を減少して、ホストコンピューターが外界に輻射する電磁波の量を下げることができる。
【図面の簡単な説明】
【０００６】
【図１】本発明の実施形態に係るキーボードからシールドケースを引き出してデータインターフェースを露出した状態を示す図である。
【図２】本発明の実施形態に係るキーボードにシールドケースを引き込んだ状態を示す図である。
【発明を実施するための形態】
【０００７】
図１及び図２を参照すると、本発明の実施形態に係るキーボード２０は、キーボード本体２１と、キーボード本体２１の内部に動作可能に収容されるシールドケース２２と、キーボード本体２１をコンピューター本体１０に接続する接続線２３と、を備える。シールドケース２２は、金属ケースであり、電磁波を遮断するために用いられるシールド空間２２０を形成することができる。
【０００８】
キーボード本体２１の片側には、シールドケース２２を収容するための収容部２１１が形成される。シールドケース２２は、カバー２２１及び収納部２２３を備える。カバー２２１は平板状であり、収納部２２３は矩形の底板２２５及び底板２２５の四辺から上に向かって垂直に延在される４つの側壁２２６を備える。収納部２２３の長手方向の２つの側壁２２６の外側にはガイドレール２２８が形成され、キーボード本体２１の収容部２１１の対向する両側には対応してガイドスロット２２９が形成されて、収納部２２３をキーボード本体２１の収容部２１１から引き出すことができる。ガイドレール２２８及びガイドスロット２２９の横断面は全てＴ字状を呈する。カバー２２１は、キーボード本体２１の収容部２１１を形成する空間の内壁に設置されて、収納部２２３がキーボード本体２１の収容部２１１に引き込まれると、収納部２２３の上方開口を覆ってシールド空間２２０を形成する。収納部２２３の底板２２５には、データ信号を伝送するために用いられる複数のデータインターフェース２４１が設置される。
【０００９】
コンピューター本体１０はケース１０２を備え、電気回路基板１０６がケース１０２の内部に収容され、電気回路基板１０６には、キーボード接続ポート１０８及び少なくとも１つのデータ接続ポート１０９が設置される。
【００１０】
キーボード本体２１は、キーボード回路基板２１６を備え、キーボード回路基板２１６には、キーボードの操作指令を伝送するために用いられるキーボードポート２１６１が設置される。
【００１１】
接続線２３は、その両端に位置する第一接続端２３１及び第二接続端２３２を備え、第一接続端２３１はコンピューター本体１０に接続され、第二接続端２３２はキーボード本体２１に接続される。具体的に説明すると、接続線２３は、シールドチューブ２４と、シールドチューブ２４によって覆われるキーボードデータ線２５及びインターフェースデータ線２６を備える。キーボードデータ線２５の第一接続端２３１に近い一端には、コンピューター本体１０のケース１０２まで伸びて電気回路基板１０６のキーボード接続ポート１０８に接続されるキーボードコネクター２５１が設置され、キーボードデータ線２５の第二接続端２３２に近い他端は、キーボード本体２１まで伸びてキーボード回路基板２１６のキーボードポート２１６１に接続される。インターフェースデータ線２６の第一接続端２３１に近い一端には、コンピューター本体１０のケース１０２まで伸びて電気回路基板１０６のデータ接続ポート１０９に接続されるデータコネクター２６１が設置され、インターフェースデータ線２６の第二接続端２３２に近い他端は、シールドケース２２の収納部２２３に設置された複数のデータインターフェース２４１に接続され、シールドケース２２の収納部２２３に設置された複数のデータインターフェース２４１は、ハブを採用してインターフェースデータ線２６によってデータを伝送する。
【００１２】
収納部２２３がキーボード本体２１の収容部２１１から外側に引き出された場合、シールドケース２２は開いた状態になって、複数のデータインターフェース２４１は暴露されて、ＵＳＢメモリなどを容易に差し込むことができる。収納部２２３がキーボード本体２１の収容部２１１に引き込まれた場合、シールドケース２２は閉じた状態になって、カバー２２１及び収納部２２３がシールド空間２２０を形成して、複数のデータインターフェース２４１が作動する時に生じる電磁波輻射を遮断する。
【００１３】
本実施形態において、シールドケース２２は、キーボード本体２１の内部に収容されるので、その大きさが制限されて、シールドケース２２の内部に設置されるデータインターフェース２４１は、ＵＳＢインターフェース、ＳＤカードインターフェースなどのような寸法が小さい記憶装置に接続されるインターフェースであり、従って寸法が小さい記憶装置をシールド空間２２０に収容できるようにする。
【００１４】
本発明において、キーボード２０に複数のデータインターフェース２４１が設置されているので、ＵＳＢメモリのような外部記憶装置を使用してデータを伝送しようとする際、ＵＳＢメモリをキーボード２０のデータインターフェース２４１に差し込むことができ、ユーザーが腰を曲げることを必要とせず使用に便利である。又、データインターフェース２４１はキーボード２０のシールドケース２２の内部に設置されて、データインターフェース２４１が作動する時に生じる電磁波が外界に対して及ぼす影響を減少することができる。又、本発明のキーボード２０を採用する場合、コンピューター本体１０のインターフェースの数量を減少して、コンピューター本体１０が外界に輻射する電磁波の量を下げることができる。
【００１５】
以上、本発明を実施形態に基づいて具体的に説明したが、本発明は上述の実施形態に限定されるものではなく、その要旨から逸脱しない範囲において、種々変更可能であることは勿論であって、本発明の保護範囲は、以下の特許請求の範囲によって規定される。
【符号の説明】
【００１６】
１０  コンピューター本体
２０  キーボード
２１  キーボード本体
２２  シールドケース
２３  接続線
２４  シールドチューブ
２５  キーボードデータ線
２６  インターフェースデータ線
１０２  ケース
１０６  電気回路基板
１０８  キーボード接続ポート
１０９  データ接続ポート
２１１  収容部
２１６  キーボード回路基板
２２０  シールド空間
２２１  カバー
２２３  収納部
２２５  底板
２２６  側壁
２２８  ガイドレール
２２９  ガイドスロット
２３１  第一接続端
２３２  第二接続端
２４１  データインターフェース
２５１  キーボードコネクター
２６１  データコネクター
２１６１  キーボードポート
【図１】
2014093082.tif 000003
【図２】
2014093082.tif 000004